【事件の表示】
　平成５年特許願第２１８０９８号「プリンタのキャリッジおよび紙送り制御方法」拒絶査定に対する審判事件［平成７年２月２８日出願公開、特開平７−５２４９０］について、次のとおり審決する。
【結　論】
　本件審判の請求は、成り立たない。
【理　由】
１．手続の経緯・本願発明
　本願は、平成５年８月１０日の出願であって、その請求項１乃至６に係る発明は、平成１２年３月２４日付けの手続補正書により補正された明細書及び図面の記載からみて、特許請求の範囲の請求項１乃至６に記載されたとおりのものであり、そのうち請求項１に係る発明は次のとおりのものである。
「【請求項１】　キャリッジと、このキャリッジに取り付けられた印字ヘッドと、印字ヘッドの前面に供給されるインクリボンと記録媒体との間に介装されるようにキャリッジに取り付けられたリボンマスクと、このリボンマスクに設けられた印字用穴とを有するプリンタのキャリッジおよび紙送り制御方法であって、少なくとも次の（ａ０）〜（ｄ）の工程を経て記録媒体の先端部分に印字することを特徴とするプリンタのキャリッジおよび紙送り制御方法。
（ａ０）記録媒体の幅を検出する工程
（ａ１）リボンマスクの印字用穴が記録媒体の角部から外れる記録媒体上の印字開始位置に位置するようにキャリッジと記録媒体とを相対的に移動させる工程
（ｂ）前記印字開始位置から記録媒体の一方の側縁に向かう方向に印字する工程
（ｃ）印字用穴が記録媒体の角部を迂回するようにして、記録媒体の角部から外れる記録媒体上の印字開始位置に位置するように再びキャリッジと記録媒体とを相対的に移動させる工程
（ｄ）前記印字開始位置から記録媒体の他方の側縁に向かう方向に印字する工程」（以下「本願発明」という）
　
２．引用例に記載された発明
　これに対して、原査定の拒絶の理由に引用された、本願の出願日前である平成３年８月６日に頒布された刊行物である特開平３−１８０３７７号公報（以下「引用例」という）には、次の（ア）〜（キ）の事項が記載されている。
（ア）「本体へ回転可能に設けられたプラテンと、該プラテンへ押接されるように挿入された用紙にキャラクタを印字する印字手段と、該印字手段が通過可能な穴を有するリボンマスクと、前記印字手段及びリボンマスクを搭載して前記プラテンに沿って左右方向へ移動可能なキャリアを設け、前記リボンマスクの前記穴が、用紙が挿入された際に該用紙の両側縁に相当する位置と対応しないように前記キャリアを前記プラテンの中途部に対応する第１の印字開始位置へ移動し、用紙を挿入し、挿入された前記用紙の上縁又は下縁が前記穴と対応する場合には、前記キャリアを前記第１の印字開始位置から左方向又は右方向へ移動してキャラクタを印字すると共に、前記穴が用紙の左側縁又は右側縁を越えて外側に位置するようキャリアを移動し、前記プラテンを所定量一方向へ回転させて前記用紙を上方又は下方へ送ると共に、前記キャリアを前記第１の印字開始位置から１キャラクタ分右方向又は左方向へシフトした第２の印字開始位置へ移動し、前記プラテンを前記所定量逆方向へ回転させて前記用紙を下方又は上方へ送り、前記キャリアを前記第２の印字開始位置から右方向又は左方向へ移動してキャラクタを印字することを特徴とする印字方法。」（特許請求の範囲の請求項１ ）、
（イ）「本発明はワードプロセッサ・プリンタ等の印字装置における印字方法に関する。」（第２頁右上欄１２〜１３行）、
（ウ）「本発明は印字行が用紙の上端縁又は下端縁に近接する位置であっても用紙の隅部にリボンマスクによる折り曲げが生じるのを防止可能な印字方法を提供することを目的とする。」（第２頁右下欄４行〜７行）、
（エ）「キャリア１６はキャリアドライバ回路１８を介して駆動されるキャリアモータ２０によって左右方向へシフトするようになっている。」（第３頁右下欄１９行〜第４頁左上欄１行）、
（オ）「キャリアには通称ディジーホイールと呼ばれる活字ホイール２２が設けられており、・・・ホイールモータ２６の回転位置により活字が選択される。選択された活字はインクリボン２７を介してタイプハンマ２７によって紙面１４上へインパクトされ紙面１４にキャラクタが印字される。・・・この活字ホイール２２及びタイプハンマ２８によって印字手段の一例が構成される。なお、印字手段はドットインパクト型の印字ヘッドでもよい。３１はリボンマスクであり、キャリア１６に搭載されている。リボンマスク３１は露出しているインクリボン２７によって紙面１４上に不要なインクの付着を防止している。」（第４頁左上欄８〜右上欄５行）、
（カ）「リボンマスク３１の中央には穴３３が透設されている。この穴３３の略中央を活字ホイール２２の選択された活字が通過可能になっており、タイプハンマ２８によってインパクトされた当該活字はインクリボン２７と共に紙面１４と衝突してキャラクタを印字するようになっている。」（第４頁右上欄１０〜１５行）、
（キ）「用紙１２は前記リボンマスク３１及びローラ（不図示）等によってプラテン４４外周面に押設されており、このプラテン４４が回転することにより印字行を変えることが可能となっている。プラテン４４はプラテンドライバ回路４６によって駆動されるプラテンモータ４８の回転に伴って回転し、改行動作が可能になっている。」（第４頁左下欄１２〜１８行）
　また、これらに加えて、第４図には用紙上縁部における用紙とリボンマスクの穴の相対的な動きが示されている。
　そして、引用例に記載された印字方法が、印字装置のキャリアおよび用紙送りの制御方法を含むものであることは明らかであり、また、引用例には、インクリボンが活字ホイール２２及びタイプハンマ２８によって構成される印字手段の前面に供給されること、及び、リボンマスクがインクリボンと用紙との間に介装されることについて引用例に明記されていないが、引用例に記載されたものがこれらの構成を具備することは明らかである。
　
　したがって、これらによれば、引用例には、
「キャリアと、このキャリアに取り付けられた印字手段と、印字手段の前面に供給されるインクリボンと用紙との間に介装されるようにキャリアに取り付けられたリボンマスクと、このリボンマスクに設けられた穴とを有するプリンタのキャリアおよび用紙送り制御方法であって、リボンマスクの穴が用紙の両側縁に相当する位置と対応しない第１の印字開始位置に位置するようにキャリアと用紙とを相対的に移動させる工程、第１の印字開始位置から用紙の一方の側縁に向かう方向に印字する工程、リボンマスクの穴が用紙の側縁を越えて外側に位置するようキャリアを移動し、前記用紙を上方へ送ると共に、前記キャリアを前記第１の印字開始位置から１キャラクタ分右方向又は左方向へシフトした第２の印字開始位置へ移動する工程、前記第２の印字開始位置から記録媒体の他方の側縁に向かう方向に印字する工程を経て用紙の上端部に印字する印字装置のキャリアおよび用紙送り制御方法。」（以下「引用発明」という）
が記載されている。
　
３．対比
　本願発明と、引用発明とを対比する。
　引用発明の「キャリア」、「印字手段」、「用紙」、「用紙の上端部」、「穴」、「印字装置」、「キャリアおよび用紙送り制御方法」は、それぞれ、本願発明の「キャリッジ」、「印字手段」、「記録媒体」、「記録媒体の先端部分」、「印字用穴」、「プリンタ」、「キャリッジおよび紙送り制御方法」に相当する。
　引用発明の「リボンマスクの穴が用紙の両側縁に相当する位置と対応しない第１の印字開始位置」及び「第１の印字開始位置から１キャラクタ分右方向又は左方向へシフトした第２の印字開始位置」は、いずれも用紙の隅部から外れる用紙上の位置であることは明らかであるから、本願発明の「リボンマスクの印字用穴が記録媒体の角部から外れる記録媒体上の印字開始位置」に相当する。
　引用発明の「リボンマスクの穴が用紙の側縁を越えて外側に位置するようキャリアを移動し、前記用紙を上方へ送ると共に、前記キャリアを前記第１の印字開始位置から１キャラクタ分右方向又は左方向へシフトした第２の印字開始位置へ移動する工程」は、リボンマスクの穴が用紙の隅部に対応しないようにするための工程であり、用紙の隅部を迂回するものであるから、本願発明の「（ｃ）印字用穴が記録媒体の角部を迂回するようにして、記録媒体の角部から外れる記録媒体上の印字開始位置に位置するように再びキャリッジと記録媒体とを相対的に移動させる工程」に相当する。
　また、２．（ア）に示した引用例の記載事項によれば、引用発明は「前記穴が用紙の左側縁又は右側縁を越えて外側に位置するようキャリアを移動」するものであるが、このようにリボンマスクの穴が用紙の側縁を越えて外側に位置するようにキャリアを制御するためには、予め用紙の側縁の位置を認識しておくことが必要不可欠であるから、引用例には明記されていないものの、引用発明が用紙の側縁の位置を認識しているものであることは当業者にとって明らかである。一方、本願発明の「（ａ０）記録媒体の幅を検出する工程」も、リボンマスクの印字用穴が記録媒体の側端から外れた位置に位置するように記録媒体の側端の位置を認識するために行われる工程であるから、引用発明と本願発明は、「記録媒体の側縁の位置を認識する」点で共通する。
　
　したがって、本願発明と引用発明は、
“キャリッジと、このキャリッジに取り付けられた印字ヘッドと、印字ヘッドの前面に供給されるインクリボンと記録媒体との間に介装されるようにキャリッジに取り付けられたリボンマスクと、このリボンマスクに設けられた印字用穴とを有するプリンタのキャリッジおよび紙送り制御方法であって、少なくとも次の（ａ０’）〜（ｄ）の工程を経て記録媒体の先端部分に印字することを特徴とするプリンタのキャリッジおよび紙送り制御方法。
（ａ０’）記録媒体の側端の位置を認識する工程
（ａ１）リボンマスクの印字用穴が記録媒体の角部から外れる記録媒体上の印字開始位置に位置するようにキャリッジと記録媒体とを相対的に移動させる工程
（ｂ）前記印字開始位置から記録媒体の一方の側縁に向かう方向に印字する工程
（ｃ）印字用穴が記録媒体の角部を迂回するようにして、記録媒体の角部から外れる記録媒体上の印字開始位置に位置するように再びキャリッジと記録媒体とを相対的に移動させる工程
（ｄ）前記印字開始位置から記録媒体の他方の側縁に向かう方向に印字する工程” 
である点で一致し、次の点で相違する。
相違点：記録媒体の側端の位置を認識するため、本願発明が、記録媒体の幅を検出する工程を具備しているのに対して、引用発明は、どのような工程により記録媒体の側端の位置を認識しているのか不明である点。
　
４．判断
　上記相違点について検討する。
　印字ヘッドが取り付けられたキャリッジと記録媒体とを相対的に移動させるに当たり、記録媒体の側端の位置を認識すべく、記録媒体の幅を検出することは、プリンタの技術分野において、本願出願前に周知の技術である（必要ならば、特開昭５４−１００１２号公報、実願昭５６−１３１９１７号(実開昭５８−３８４５３号)のマイクロフィルム、特開昭６０−９０７９１号公報、特開昭６１−７９６８６号公報、特開昭６２−２７１６９号公報、等参照。）。
　したがって、この周知技術を引用発明に適用して、記録媒体の幅を検出するようにすることは当業者が容易に考えつくことである。
　そして、このようにして本願発明の如く構成したことによる効果も、引用発明及び周知の技術から予測することができる程度のものであって、格別なものとはいえない。
　
　なお、請求人は審判請求書において、「特に、記録媒体の幅を検出した後に、印字用穴が記録媒体の角部を迂回すること、を必須の構成要件とし、この構成により、次のような作用効果を奏するものであります。すなわち、ａ．印字用穴が記録媒体の角部を迂回するから、この迂回動作の際、印字用穴は記録媒体上を移動せず、したがって、記録媒体を汚してしまうということがない。」（審判請求書第３頁１９〜２６行）、「（ｉ）本願発明と、引用文献１に記載された発明とは、用紙の角部を引っ掛けることなく用紙の先端部分あるいは後端部分一杯まで印字することができるようにすべくキャリッジと記録媒体とを相対的に移動させる点で一致しております。（ｉｉ）しかしながら、引用文献１のものは、同公報第４図に示す丸数字１〜４の動作から明らかでありますように、印字用穴３３が用紙の角部７６を迂回するのではなく、印字用穴３３が丸数字２の動作で用紙の角部７６から遠ざかるように移動し、さらに丸数字３の動作で用紙上を移動するようになっております。したがって、この丸数字３の用紙上の移動時に、用紙を汚してしまうおそれがあるという難点があります。・・・すなわち、引用文献１のものは、本願発明の上記ａ．の作用効果を奏し得ないものであります。」（審判請求書第４頁１２〜２５行）と主張している。
　しかしながら、「迂回する」という用語は、一般的に「まわり道をすること。」という意味で用いられるものである（新村出編「広辞苑」第１版、岩波書店発行、参照）から、本願発明における「（ｃ）印字用穴が記録媒体の角部を迂回するようにして、記録媒体の角部から外れる記録媒体上の印字開始位置に位置するように再びキャリッジと記録媒体とを相対的に移動させる工程」は、単に、印字用穴が記録媒体の角部を避けて遠回りすることを規定しているにすぎず、印字用穴が記録媒体上を移動するか記録媒体上でないところを移動するかについては何ら限定していない。したがって、本願発明が「迂回動作の際、記録媒体を汚してしまうということがない。」という効果を奏するとは認められない。
　よって、請求人の上記主張は特許請求の範囲の請求項１の記載に基づかないものであり、採用することができない。
　
４．むすび
　以上のとおり、本願発明は、引用発明及び周知技術に基づいて、当業者が容易に発明することができたものであるから、特許法２９条第２項の規定により特許を受けることができない。
　よって、結論のとおり審決する。